(57)【特許請求の範囲】
【請求項１】
ダイニングエリアとキッチンエリアとを仕切り且つ当該両エリア同士で対面できるように設置された対面式キッチンにおいて、ダイニングエリア側とキッチン側とを仕切る仕切り板を当該対面式キッチンのダイニングエリア側縁部に取り付けるための構造であって、
上記対面式キッチンのダイニングエリア側縁部において前後方向に沿って固定される、少なくとも２組の親本体及び子本体と、
上記仕切り板の下端部が挿入される凹みが形成され、上記仕切り板を保護する保護部材と、を含み、
上記親本体及び子本体の両者の互いに対向する各面は、それぞれ、弾性を有する平板状のパット部材からなっており、
上記対面式キッチンのダイニングエリア側縁部に上記親本体及び子本体を前後方向に沿って配置したときに両者の間で生じる隙間間隔の底部に上記保護部材が設置されて当該保護部材の凹みに上記仕切り板の下端部が挿入され、
上記親本体及び子本体の両者の対向面をなす各パット部材と上記仕切り板とを密着させた状態で上記仕切り板が上記親本体と上記子本体とで挟持されることを特徴とする、対面式キッチンにおける仕切り板の取付構造。
【請求項２】
上記親本体と上記子本体との間で上記仕切り板が挟持されたときに、当該親本体及び子本体の何れか一方又は両者と上記保護部材との間に空隙が生じることを特徴とする請求項１に記載の対面式キッチンにおける仕切り板の取付構造。
【請求項３】
上記親本体及び子本体の両者のパット部材のうち何れか一方の厚みは、上記保護部材の凹みを区画する側壁の厚みよりも厚く設定されており、それによって上記空隙を生じさせることを特徴とする請求項２に記載の対面式キッチンにおける仕切り板の取付構造。
【請求項４】
上記親本体及び子本体のうちの一方の対向面をなすパット部材の硬さは、他方の対向面をなすパット部材の硬さより硬く設定されていることを特徴とする請求項１乃至３の何れかに記載の対面式キッチンにおける仕切り板の取付構造。
【請求項５】
上記仕切り板は、少なくとも上記対面式キッチンの加熱調理セクションとダイニングエリアとの間を仕切るように、上記親本体及び子本体の両者によって挟持されており、
上記子本体の親本体との対向面をなすパット部材の硬さは、上記親本体の子本体との対向面をなすパット部材の硬さよりも硬く設定されており、
上記親本体は、上記対面式キッチンの加熱調理セクションのダイニングエリア側縁部においてそのダイニングエリア寄りに配置される一方、上記子本体は、上記対面式キッチンの加熱調理セクションのダイニングエリア側縁部においてそのキッチンエリア寄りに配置されていることを特徴とする請求項１乃至３の何れかに記載の対面式キッチンにおける仕切り板の取付構造。
【請求項６】
上記子本体の仕切り板と直交する方向の長さは、上記親本体の仕切り板と直交する方向の長さよりも短く設定されていることを特徴とする請求項５に記載の対面式キッチンにおける仕切り板の取付構造。
【請求項７】
上記親本体及び子本体の間で生じる隙間間隔の大きさを調整するための隙間間隔調整機構をさらに含むことを特徴とする請求項１乃至６に記載の対面式キッチンにおける仕切り板の取付構造。
【請求項８】
上記隙間間隔調整機構は、
上記子本体の親本体と対向する面の下端部中央から上記親本体側に向かって延設され、上記親本体内に挿入されるベースと、
このベースの基部に形成され、当該ベースを上記対面式キッチンのダイニングエリア側縁部の面に固定する固定ねじを挿通するための固定ねじ挿通孔と、
上記ベースの自由端部の上面に設けられ、当該ベースの延長方向に沿って開けられたねじ孔を有する螺合ブロックと、
上記親本体の子本体と対向する面とは反対側の面に形成され、上記隙間間隔を調整する調整ねじを挿通するための調整ねじ挿通孔と、を備えており、
上記ベースの固定ねじ挿通孔に上記固定ねじを挿通して上記対面式キッチンのダイニングエリア側縁部の面にねじ込んで上記子本体のベースを固定し、上記調整ねじを上記親本体の調整ねじ挿通孔に挿通して上記ベースの螺合ブロックのねじ孔にねじ込む際に、当該調整ねじの螺合ブロックのねじ孔へのねじ込み量を調整することによって上記親本体の子本体に対する隙間間隔が変更されることを特徴とする請求項７に記載の対面式キッチンにおける仕切り板の取付構造。
【請求項９】
ダイニングエリアとキッチンエリアとを仕切り且つ当該両エリア同士で対面できるように設置された対面式キッチンにおいて、ダイニングエリア側とキッチン側とを仕切る仕切り板を当該対面式キッチンのダイニングエリア側縁部に取り付けるための構造であって、
上記対面式キッチンのダイニングエリア側縁部において前後方向に沿って固定される、少なくとも２組の親本体及び子本体を含み、
これら親本体及び子本体の両者の互いに対向する各面は、それぞれ、弾性を有する平板状のパット部材からなっており、
上記親本体は、上記対面式キッチンのダイニングエリア側縁部においてそのダイニングエリア寄りに配置される一方、上記子本体は、上記対面式キッチンのダイニングエリア側縁部においてそのキッチンエリア寄りに配置されており、
上記子本体の親本体との対向面をなすパット部材の硬さは、上記親本体の子本体との対向面をなすパット部材の硬さよりも硬く設定されており、
上記対面式キッチンのダイニングエリア側縁部において、上記親本体及び子本体の両者の対向面をなす各パット部材と上記仕切り板とを密着させた状態で上記仕切り板が上記親本体と上記子本体とで挟持されることを特徴とする、対面式キッチンにおける仕切り板の取付構造。
【発明の詳細な説明】
【技術分野】
【０００１】
本発明は、ダイニングエリア側とキッチン側とを仕切る仕切り板を対面式キッチンのダイニングエリア側縁部に取り付けるための構造に関する。
【背景技術】
【０００２】
例えば、特許文献１では、小スペースタイプのキッチンユニットにおけるシンクの奥行き寸法を保持しつつカウンター全体の奥行き寸法を小さくすることで、ワンルームマンションなどに設置した際に通路を広く確保できるようにしたキッチンユニットが提案されている。
【０００３】
特許文献１で開示されているキッチンユニットは、キャビネット上部のカウンターにシンクとコンロとが並設され、シンク後部のカウンター上に水栓を取り付けた下部ユニットと、左右のパネル間に収納棚が装着されており、下部ユニットの上部に連結される上部ユニットとからなるキッチンユニットを対象としている。
【０００４】
そして、上記水栓が前方から操作可能なレバー付きハンドルとした水栓であって、この水栓の本体後部を上記カウンター後部に立設されたバックガードに当接させて取り付けられている。
【０００５】
【特許文献１】実開平６−４５５４０号公報
【発明の開示】
【発明が解決しようとする課題】
【０００６】
近時、一戸建て住宅やファミリー用マンションなどにあっては、そのＤＫルームやＬＤＫルームにゴージャス感を持たせるために、いわゆるアイランドキッチンに代表される対面式キッチンを据え置きすることが盛んに行われている。
【０００７】
かかる対面式キッチンは、ダイニングエリアとキッチンエリアとを仕切り且つ当該両エリア同士で対面できるように設置される。そのため、対面式キッチンの加熱調理セクションからダイニングエリア側にオイルが飛散したり、あるいは対面式キッチンの洗いセクションからダイニングエリア側に水が飛散したりするので、これを防止する必要が生じている。
【０００８】
上記オイルや水の飛散を防止するため、対面式キッチンに上記特許文献１に係るキッチンユニットの背面パネルを有する上部ユニットを取り付けた場合には、上記ＤＫルームやＬＤＫルームがゴージャス感に欠けるばかりか、ダイニングエリア側とキッチンエリア側とで互いに顔を見合わせて話しをしたり食事などを手渡ししたりすることなどができない。その結果、対面式キッチンを設置した意味がなくなってしまう。
【０００９】
そこで、上記のオイルの飛散や水の飛散を防止するため、ガラス製などの仕切り板を対面式キッチンのダイニングエリア側縁部に取り付けることが考えられる。
【００１０】
しかしながら、対面式キッチンのダイニングエリア側縁部に上記の仕切り板を単に取り付けたのでは、当該仕切り板の取付対象が対面式キッチンであるがゆえの問題点が生じるのである。
【００１１】
具体的には、対面式キッチンにおいては、上述したように、ダイニングエリア側とキッチンエリア側とで互いに顔を見合わせて話しをしたり食事などを手渡ししたりすることなどが可能であるため、上記の仕切り板に人が接触した際の衝撃や人が通過した際の振動などによって当該仕切り板にひび割れが生じる場合がある。
【００１２】
本発明は、上記技術的課題に鑑みなされたもので、人が接触した際の衝撃や人が通過した際の振動などによって仕切り板にひび割れが生じ難い、対面式キッチンにおける仕切り板の取付構造の提供を目的とする。
【課題を解決するための手段】
【００１３】
ある局面から観た発明は、ダイニングエリアとキッチンエリアとを仕切り且つ当該両エリア同士で対面できるように設置された対面式キッチンにおいて、ダイニングエリア側とキッチン側とを仕切る仕切り板を当該対面式キッチンのダイニングエリア側縁部に取り付けるための構造であって、上記対面式キッチンのダイニングエリア側縁部において前後方向に沿って固定される、少なくとも２組の親本体及び子本体と、上記仕切り板の下端部が挿入される凹みが形成され、上記仕切り板を保護する保護部材と、を含み、上記親本体及び子本体の両者の互いに対向する各面は、それぞれ、弾性を有する平板状のパット部材からなっており、上記対面式キッチンのダイニングエリア側縁部に上記親本体及び子本体を前後方向に沿って配置したときに両者の間で生じる隙間間隔の底部に上記保護部材が設置されて当該保護部材の凹みに上記仕切り板の下端部が挿入され、上記親本体及び子本体の両者の対向面をなす各パット部材と上記仕切り板とを密着させた状態で上記仕切り板が上記親本体と上記子本体とで挟持される。
【００１４】
上記構成において、対面式キッチンのダイニングエリア側縁部に親本体及び子本体を前後方向に沿って配置したときに両者の間で生じる隙間間隔の底部に保護部材を設置してその凹みに仕切り板の下端部を挿入し、親本体及び子本体の両者の対向面をなし且つ弾性を有する各パット部材と仕切り板とを密着させた状態で仕切り板を上記親本体と上記子本体とで挟持しているので、人が接触した際の衝撃や人が通過した際の振動などに起因する上記の仕切り板のひび割れが生じ難くなる。
【００１５】
また、上記親本体と上記子本体との間で上記仕切り板が挟持されたときに、当該親本体及び子本体の何れか一方又は両者と上記保護部材との間に空隙が生じる。
【００１６】
上記構成において、親本体及び子本体の両者との間で仕切り板を挟持したときには、親本体及び子本体の何れか一方又は両者と保護部材との間に空隙を生じさせることにより、この空隙に上記の人が接触した際の衝撃や人が通過した際の振動などを逃がすことができる。そのため、上記仕切り板のひび割れはより生じ難くなる。
【００１７】
さらに、上記親本体及び子本体の両者のパット部材のうち何れか一方の厚みは、上記保護部材の凹みを区画する側壁の厚みよりも厚く設定されており、それによって上記空隙を生じさせる。
【００１８】
上記構成において、親本体及び子本体の両者のパット部材のうち何れか一方の厚みを保護部材の凹みを区画する側壁の厚みよりも厚く設定するといった極めて簡単な構成で上記の空隙を生じさせることが可能となる。
【００１９】
ある態様として、上記親本体及び子本体のうちの一方の対向面をなすパット部材の硬さは、他方の対向面をなすパット部材の硬さより硬く設定されている。
【００２０】
上記構成において、親本体及び子本体のうちの一方の対向面をなすパット部材の硬さを他方の対向面をなすパット部材の硬さより硬く設定しているので、子本体側の対向面をなすパット部材の弾性力が増し、親本体及び子本体の両者の対向面をなす各ゴムパットの仕切り板に対する密着度が上がる。そのため、上記の仕切り板の挟持力が大きくなる。その結果、仕切り板を安定して保持することができる。
【００２１】
他の態様として、上記仕切り板は、少なくとも上記対面式キッチンの加熱調理セクションとダイニングエリアとの間を仕切るように、上記親本体及び子本体の両者によって挟持されており、上記子本体の親本体との対向面をなすパット部材の硬さは、上記親本体の子本体との対向面をなすパット部材の硬さよりも硬く設定されており、上記親本体は、上記対面式キッチンの加熱調理セクションのダイニングエリア側縁部においてそのダイニングエリア寄りに配置される一方、上記子本体は、上記対面式キッチンの加熱調理セクションのダイニングエリア側縁部においてそのキッチンエリア寄りに配置されている。
【００２２】
上記構成において、子本体の親本体との対向面をなすパット部材の硬さを親本体の子本体との対向面をなすパット部材の硬さよりも硬く設定しているので、子本体側の対向面をなすパット部材の弾性力が増し、親本体及び子本体の両者側の対向面をなす各パット部材の仕切り板に対する密着度が上がる。そのため、上記の仕切り板の挟持力が大きくなり、結果的に仕切り板を安定して保持することができる。特に、上記硬い方のパット部材を有する子本体を対面式キッチンの加熱調理セクションのダイニングエリア側縁部においてそのキッチンエリア寄りに配置しているので、熱ストレスによる子本体の経年劣化が生じ難い。
【００２３】
他の態様において、上記子本体の仕切り板と直交する方向の長さは、上記親本体の仕切り板と直交する方向の長さよりも短く設定されている。
【００２４】
上記構成において、子本体の仕切り板と直交する方向の長さを親本体の仕切り板と直交する方向の長さよりも短く設定しているので、親本体及び子本体の両者の間で挟持される仕切り板の位置はダイニングエリアからより離れた位置となる。そのため、仕切り板に人が接触する可能性が少なくなったり、また人の通過に起因する振動が仕切り板に伝わり難くなったりする。
【００２５】
上記対面式キッチンにおける仕切り板の取付構造は、上記親本体及び子本体の間で生じる隙間間隔の大きさを調整するための隙間間隔調整機構をさらに含む。
【００２６】
上記構成において、隙間間隔調整機構により親本体及び子本体の間で生じる隙間間隔の大きさが調整可能であるので、仕切り板と共に煙・臭いガード板を親本体及び子本体との両者の間に挟み込んで保持することができる。
【００２７】
上記隙間間隔調整機構は、上記子本体の親本体と対向する面の下端部中央から上記親本体側に向かって延設され、上記親本体内に挿入されるベースと、このベースの基部に形成され、当該ベースを上記対面式キッチンのダイニングエリア側縁部の面に固定する固定ねじを挿通するための固定ねじ挿通孔と、上記ベースの自由端部の上面に設けられ、当該ベースの延長方向に沿って開けられたねじ孔を有する螺合ブロックと、上記親本体の子本体と対向する面とは反対側の面に形成され、上記隙間間隔を調整する調整ねじを挿通するための調整ねじ挿通孔と、を備えており、上記ベースの固定ねじ挿通孔に上記固定ねじを挿通して上記対面式キッチンのダイニングエリア側縁部の面にねじ込んで上記子本体のベースを固定し、上記調整ねじを上記親本体の調整ねじ挿通孔に挿通して上記ベースの螺合ブロックのねじ孔にねじ込む際に、当該調整ねじの螺合ブロックのねじ孔へのねじ込み量を調整することによって上記親本体の子本体に対する隙間間隔が変更される。
【００２８】
上記構成において、子本体のベースを対面式キッチンのダイニングエリア側縁部の面に固定した後に、調整ねじの螺合ブロックのねじ孔へのねじ込み量を調整するといった極めて簡単な作業で親本体の子本体に対する隙間間隔を変更することができる。
【００２９】
他の局面から観た発明は、ダイニングエリアとキッチンエリアとを仕切り且つ当該両エリア同士で対面できるように設置された対面式キッチンにおいて、ダイニングエリア側とキッチン側とを仕切る仕切り板を当該対面式キッチンのダイニングエリア側縁部に取り付けるための構造であって、上記対面式キッチンのダイニングエリア側縁部において前後方向に沿って固定される、少なくとも２組の親本体及び子本体を含み、これら親本体及び子本体の両者の互いに対向する各面は、それぞれ、弾性力を有する平板状のパット部材からなっており、上記親本体は、上記対面式キッチンのダイニングエリア側縁部においてそのダイニングエリア寄りに配置される一方、上記子本体は、上記対面式キッチンのダイニングエリア側縁部においてそのキッチンエリア寄りに配置されており、上記子本体の親本体との対向面をなすパット部材の硬さは、上記親本体の子本体との対向面をなすパット部材の硬さよりも硬く設定されており、上記対面式キッチンのダイニングエリア側縁部において、上記親本体及び子本体の両者の対向面をなす各パット部材と上記仕切り板とを密着させた状態で上記仕切り板が上記親本体と上記子本体とで挟持される。
【００３０】
上記構成において、親本体を対面式キッチンのダイニングエリア側縁部においてそのダイニングエリア寄りに配置する一方、子本体を対面式キッチンのダイニングエリア側縁部においてそのキッチンエリア寄りに配置し、子本体の親本体との対向面をなすパット部材の硬さを親本体の子本体との対向面をなすパット部材の硬さよりも硬く設定し、対面式キッチンのダイニングエリア側縁部において、親本体及び子本体の両者の対向面をなす各パット部材と仕切り板とを密着させた状態で仕切り板を親本体と子本体とで挟持しているので、人が接触した際の衝撃や人が通過した際の振動などに起因する上記の仕切り板のひび割れが生じ難くなる。また、親本体側の対向面をなすパット部材及び子本体側の対向面をなすパット部材の両者の弾性変形量が増し、親本体及び子本体の両者側の対向面をなし且つ弾性を有する各パット部材の仕切り板に対する密着度が上がるため、上記の仕切り板の挟持力が大きくなって、仕切り板を安定して保持することができる。さらに、仕切り板を対面式キッチンの加熱調理セクションのダイニングエリア側縁部に取り付けた場合には、熱ストレスによる子本体の経年劣化も生じ難い。
【００３１】
なお、上記仕切り板の素材としては、ガラス以外に、発泡組織により断熱と衝撃荷重に適用した強化プラスチック、木質材、アルミニウム等の金属やセラミックを例示することができる。
【発明の効果】
【００３２】
本発明によると、仕切り板に人が接触した際の衝撃や人が通過した際の振動などによって当該仕切り板にひび割れ生じ難くなる。
【発明を実施するための最良の形態】
【００３３】
以下、本発明の実施の形態について添付図面に基づき詳細に説明する。
【００３４】
図１〜図４において、参照符号１はアイランドキッチンであり、参照符号２はオイルガードガラスである。
【００３５】
アイランドキッチン１は、ダイニングエリア３とキッチンエリア４とを仕切り且つ当該両エリア３，４同士で対面できるように島状に設置されている。このアイランドキッチン１には、シンク５が形成された洗いセクション１１と、３つのガスコンロ６が備え付けられた加熱調理セクション１２とが併設されている。なお、加熱調理セクション１２内に設置されるコンロは、ＩＨコンロでも構わない。
【００３６】
オイルガードガラス２は、耐熱性を有しており、アイランドキッチン１の加熱調理セクション１２からダイニングエリア３側へオイルが飛散するのを防止するために、ダイニングエリア３側とアイランドキッチン１側とを仕切る仕切り板として機能する部材である。このオイルガードガラス２は、長手の四角形形状を有しており、アイランドキッチン１の加熱調理セクション１２のダイニングエリア３側縁部に取り付けられる。
【００３７】
図５を参照して、上記オイルガードガラス２を上記アイランドキッチン１の加熱調理セクション１２のダイニングエリア３側縁部に取り付けるための構造としては、アイランドキッチン１の加熱調理セクション１２のダイニングエリア３側縁部において前後方向に沿って固定される２組の親本体７及び子本体８と、オイルガードガラス２の下端部が挿入される凹み９１が形成され、オイルガードガラス２を保護する保護部材９と、親本体７及び子本体８の両者の間で生じる隙間間隔Ｃ１の大きさを調整するための隙間間隔調整機構１０とが備えられる。
【００３８】
図６を参照して、親本体７は、子本体８との対向領域及び底領域各々に開口部を有する中空部材であって、クロムメッキが施されている。この親本体７の子本体８との対向面は、図７に示す弾性を有する平板状のパット部材２０からなる。具体的には、図７に示すように、パット部材２０の内面上部には、左右一対のボス２０１が突出して形成されており、内面両側の縁部には、左右一対の補強リブ２０１がパット部材２０の内面両側に沿って形成されている。各補強リブ２０１の上端部は、各ボス２０１を避けるように、パット部材２０の中心に向けて円弧状に曲げられている。他方、図６に示すように、親本体７の子本体８との対向領域側の開口部の内縁上部には、左右一対のボス孔７１が開けられている。そして、親本体７のボス孔７１にパット部材２０のボス２０１を嵌め込むことにより、親本体７の子本体８との対向面が構成されている。
【００３９】
図５を参照して、子本体８は、底領域に開口部を有する中空部材であって、クロムメッキが施されている。この子本体８の親本体７との対向面は、図９に示す弾性を有する平板状のパット部材３０からなる。具体的には、図９に示すように、パット部材３０の内面中央部には、上下一対のボス３０１が突出して形成されている。他方、図８に示すように、子本体８の親本体７との対向領域の中央部には、上下一対のボス孔８１が開けられている。そして、図５に示すように、子本体８のボス孔８１にパット部材３０のボス３０１を嵌め込むことにより、子本体８の親本体７との対向面が構成されている。
【００４０】
図５に良く示されているように、上記子本体８のオイルガードガラス２と直交する方向の長さＬ１は、上記親本体７のオイルガードガラス２と直交する方向の長さＬ２よりも短く設定されている。それゆえ、親本体７は、アイランドキッチン１の加熱調理セクション１２のダイニングエリア３側縁部においてそのダイニングエリア３側に配置される。他方、子本体８は、アイランドキッチン１の加熱調理セクション１２のダイニングエリア３側縁部においてそのキッチンエリア４よりに配置される。
【００４１】
ここに、上記の親本体７の子本体８との対向面をなすパット部材２０は、シリコンゴム、ウレタンエストラマー、軟質ポリエチレン、ＥＶＡやニトリルゴムなどのゴム系樹脂を素材として製作されている。他方、上記の子本体８の親本体７との対向面をなすパット部材３０は、ポリエチレンやポリプロピレンなどの上記ゴム系樹脂より硬い合成樹脂を素材として製作されている。すなわち、子本体８側のパット部材３０の硬さは、親本体７側のパット部材２０の硬さよりも硬く設定されている。
【００４２】
図５を参照して、保護部材９は、その断面形状がコ字形をなしており、アルミニウムやステンレス鋼などの金属を素材として製作されている。この保護部材９の凹み９１は、左右方向（即ち、オイルガードガラス２の長手方向）に沿って貫通して設けられており、その幅は、オイルガードガラス２の幅と同寸である。
【００４３】
ここに、上記の子本体８側のパット部材２０の両者の厚みＤ１は、それぞれ、上記の保護部材９の凹み９１を区画する両側壁の厚みＤ２よりも厚く設定されている。このように、各厚みＤ１，Ｄ２を設定するのは、アイランドキッチン１の加熱調理セクション１２のダイニングエリア３側縁部に親本体７及び子本体８を前後方向に沿って配置したときに両者の間で生じる隙間間隔Ｃ１の底部に保護部材９が設置されて当該保護部材９の凹み９１にオイルガードガラス２の下端部が挿入され、親本体７及び子本体８の両者の対向面をなす各パット部材２０，３０とオイルガードガラス２とを密着させた状態でオイルガードガラス２の下部が親本体７と子本体８とで挟持されたときには、子本体８と保護部材９との間に空隙Ｃ１が生じるようにするためである。
【００４４】
図６〜図８及び図１０を参照して、隙間間隔調整機構１０は、子本体８の親本体７と対向する面の下端部中央から親本体７側に向かって延設され、親本体７内に挿入されるベース１０１と、ベース１０１の基部に形成され、ベース１０１をアイランドキッチン１の加熱調理セクション１２のダイニングエリア３側縁部の面に固定する固定ねじ４０，５０を挿通するための固定ねじ挿通孔１０２，１０３と、ベース１０１の自由端部の上面に一体的に設けられ、ベース１０１の延長方向に沿って開けられたねじ孔１０４Ａを有する螺合ブロック１０４と、親本体７の底領域側の開口部の内縁部に形成され、ベース１０１を親本体７内に案内して係止する案内溝１０５と、親本体７の子本体８と対向する面とは反対側の面に形成され、上記の隙間間隔Ｃ１を調整する調整ねじ６０を挿通するための調整ねじ挿通孔１０６とを備えている。換言すると、この隙間間隔調整機構１０では、ベース１０１の固定ねじ挿通孔１０２，１０３に固定ねじ４０，５０を挿通してアイランドキッチン１の加熱調理セクション１２のダイニングエリア３側縁部の面にねじ込んで子本体８のベース１０１を固定し、親本体７内の案内溝１０５内に子本体８のベース１０１を差し込んで係止した後に、調整ねじ６０を親本体７の調整ねじ挿通孔１０６に挿通してベース１０１の螺合ブロック１０４のねじ孔１０４Ａにねじ込む際に、調整ねじ６０の螺合ブロック１０４のねじ孔１０４Ａへのねじ込み量を調整すれば、親本体７の子本体８に対する隙間間隔Ｃ１が変更されるようになっている。
【００４５】
第１の固定ねじ４０が挿通される第１の固定ねじ挿通孔１０２は、前後方向（即ち、ベース１０１の延長方向）に長い長孔とされており、第２の固定ねじ５０が挿通される第２の固定ねじ挿通孔１０３よりもベース１０１の基端部側に配置されている。
【００４６】
図５を参照して、オイルガードガラス２のアイランドキッチン１の加熱調理セクション１２のダイニングエリア３側縁部への取付手順について説明する。
【００４７】
まず、子本体８をアイランドキッチン１の加熱調理セクション１２のダイニングエリア３側縁部上に載置し、そのベース１０１の固定ねじ挿通孔１０２，１０３に固定ねじ４０，５０を挿通してアイランドキッチン１の加熱調理セクション１２のダイニングエリア３側縁部の面にねじ込んで子本体８のベース１０１を固定する。
【００４８】
次に、親本体７内の案内溝１０５（図７参照）内に子本体８のベース１０１を差し込んで係止する。このとき、親本体７と子本体８との両者の間には、隙間間隔Ｃ１が生じる。
【００４９】
その後、親本体７及び子本体８の両者の間で生じた隙間間隔Ｃ１の底部に保護部材９を設置し、その凹み９１にオイルガードガラス２の下端部を挿入する。
【００５０】
最後に、オイルガードガラス２を手で保持しながら調整ねじ６０を親本体７の調整ねじ挿通孔１０６に挿通してベース１０１の螺合ブロック１０４のねじ孔１０４Ａにねじ込んで、親本体７の子本体８に対する隙間間隔Ｃ１を縮小する。その結果、アイランドキッチン１の加熱調理セクション１２のダイニングエリア３側縁部に親本体７及び子本体８を前後方向に沿って配置したときに両者の間で生じる隙間間隔Ｃ１の底部に保護部材９が設置されて保護部材９の凹み９１にオイルガードガラス２の下端部が挿入され、親本体７及び子本体８の両者の対向面をなす各パット部材２０，３０とオイルガードガラス２とを密着させた状態でオイルガードガラス２の下部が親本体７と子本体８とで挟持されることになる。
【００５１】
以上の説明から明らかな通り、本実施の形態によると、以下の作用・効果を奏する。
【００５２】
（１）アイランドキッチン１の加熱調理セクション１２のダイニングエリア３側縁部に親本体７及び子本体８を前後方向に沿って配置したときに両者の間で生じる隙間間隔Ｃ１の底部に保護部材９を設置してその凹み９１にオイルガードガラス２の下端部を挿入し、親本体７及び子本体８の両者の対向面をなし且つ弾性を有する各パット部材２０，３０及びオイルガードガラス２の下部同士を密着させた状態でオイルガードガラス２の下部を親本体７と子本体８とで挟持できる。それゆえ、人が接触した際の衝撃や人が通過した際の振動などに起因する上記のオイルガードガラス２のひび割れが生じ難くなる。
【００５３】
（２）親本体７及び子本体８の両者との間でオイルガードガラス２を挟持したときには、子本体８と保護部材９との間に空隙Ｃ１が生じる。この空隙Ｃ１は、上記の人が接触した際の衝撃や人が通過した際の振動などを逃がすための領域として機能する。その結果、上記のオイルガードガラス２のひび割れはより生じ難くなる。
【００５４】
（３）子本体８のパット部材３０の厚みＤ１を保護部材９の凹み９１を区画する両側壁の厚みＤ２よりも厚く設定するといった極めて簡単な構成で上記の空隙Ｃ１を生じさせることが可能となる。
【００５５】
（４）子本体８の親本体７との対向面をなすパット部材３０の硬さを親本体７の子本体８との対向面をなすパット部材２０の硬さよりも硬く設定している。そのため、子本体８側の対向面をなすパット部材３０の弾性力が増し、親本体７及び子本体８の両者側の対向面をなす各パット部材２０，３０のオイルガードガラス２に対する密着度が上がる。その結果、上記のオイルガードガラス２の挟持力が大きくなって、オイルガードガラス２を安定して保持することができる。
【００５６】
（５）上記の硬い方のパット部材３０を有する子本体８をアイランドキッチン１の加熱調理セクション１２のダイニングエリア３側縁部においてそのキッチンエリア４寄りに配置しているので、熱ストレスによる子本体８の経年劣化が生じ難い。
【００５７】
（６）子本体８のオイルガードガラス２と直交する方向の長さＬ１を親本体７のオイルガードガラス２と直交する方向の長さＬ２よりも短く設定している。そのため、親本体７及び子本体８の両者の間で挟持されるオイルガードガラス２の位置は、ダイニングエリア３からより離れた位置となる。その結果、オイルガードガラス２に人が接触する可能性が少なくなったり、また人の通過に起因する振動が仕切り板に伝わり難くなったりする。
【００５８】
（７）隙間間隔調整機構１０により親本体７及び子本体８の間で生じる隙間間隔Ｃ１の大きさが調整可能である。そのため、図１１に示すように、ステンレス製のチャンネル付き煙・臭いガード板７０をオイルガードガラス２のキッチンエリア４側面に配置し、この煙・臭いガード板７０をオイルガードガラス２と共に親本体７及び子本体８との両者の間に挟み込んで保持することができる。
【００５９】
（８）上記の隙間間隔調整機構１０においては、調整ねじ６０の螺合ブロック１０４のねじ孔１０４Ａへのねじ込み量を調整するといった極めて簡単な作業で親本体７の子本体８に対する隙間間隔Ｃ１を変更することができる。
【００６０】
（９）上記の隙間間隔調整機構１０において、第１の固定ねじ４０が挿通される第１の固定ねじ挿通孔１０２は、前後方向に長い長孔とされているので、上記の隙間間隔Ｃ１の調整幅が大きくなる。
【００６１】
なお、本発明は上記実施の形態に限定されるものではない。
【００６２】
（１）上記実施の形態においては、長手の四角形形状を有するオイルガードガラス２を用いた例について記載したが、オイルガードガラス２の形状はこれに限らず、両側が円弧をなす小判形形状を有するものや動植物を模ったものなどを利用してもよい。
【００６３】
（２）上記実施の形態においては、子本体８の親本体７との対向面をなすパット部材３０の厚みＤ１を保護部材９の凹み９１を区画する両側壁の厚みＤ２よりも厚く設定した例について記載したが、これとは反対に、親本体７の子本体８との対向面をなすパット部材２０の厚みを保護部材９の凹み９１を区画する両側壁の厚みよりも厚くしても構わない。
【００６４】
（３）上記実施の形態において、オイルガードガラス２の下端部が挿入される凹み９１が形成された保護部材９を排除し、親本体７をアイランドキッチン１の加熱調理セクション１２のダイニングエリア３側縁部においてそのダイニングエリア３寄りに配置する一方、子本体８をアイランドキッチン１の加熱調理セクション１２のダイニングエリア３側縁部においてそのキッチンエリア４寄りに配置し、子本体８の親本体７との対向面をなすパット部材３０の硬さを親本体７の子本体８との対向面をなすパット部材２０の硬さよりも硬く設定し、アイランドキッチン１の加熱調理セクション１２のダイニングエリア３側縁部において、親本体７及び子本体８の両者の対向面をなし且つ弾性を有する各パット部材２０，３０とオイルガードガラス２とを密着させた状態でオイルガードガラス２を親本体７と子本体８とで挟持するような構成としても、本発明の目的は十分に達成し得る。
【００６５】
（４）上記実施の形態においては、オイルガードガラス２をアイランドキッチン１の加熱調理セクション１２のダイニングエリア３側縁部に取り付ける例について記載したが、ガラス製の仕切り板をアイランドキッチン１の洗いセクション１１及び加熱調理セクション１２の両者に亘ってそのダイニングエリア３側縁部に取り付ける構成にしても良い。この場合、特に洗いセクション１１からダイニングエリア３側への水の飛散、及び加熱調理セクション１２からダイニングエリア３側へのオイルの飛散を防止できる。
【００６６】
（５）上記実施の形態においては、本発明を、ダイニングエリア３とキッチンエリア４とを仕切り且つ当該両エリア３，４同士で対面できるように島状に設置されるアイランドキッチン１に適用した例について記載したが、本発明を、一方の側面をＤＫルーム又はＬＤＫルームの壁面に当接させた状態でダイニングエリア３とキッチンエリア４とを仕切り且つ当該両エリア３，４同士で対面できるように設置されるタイプの対面式キッチンに適用しても構わない。
【００６７】
（６）上記実施の形態においては、親本体７をアイランドキッチン１の加熱調理セクション１２のダイニングエリア３側縁部においてそのダイニングエリア３寄りに配置する一方、子本体８をアイランドキッチン１の加熱調理セクション１２のダイニングエリア３側縁部においてそのキッチンエリア４寄りに配置した例について記載したが、子本体８をアイランドキッチン１の加熱調理セクション１２のダイニングエリア３側縁部においてそのダイニングエリア３寄りに配置する一方、親本体７をアイランドキッチン１の加熱調理セクション１２のダイニングエリア３側縁部においてそのキッチンエリア４寄りに配置してもよい。この場合、親本体７及び子本体８の両者の隙間間隔Ｃ１を調整するねじ６０の頭部がダイニングアリア３側から見えず、外観的に良くなる。
【００６８】
（７）上記実施の形態では、アイランドキッチン１のダイニングエリア３側縁部においてダイニングエリア３側とキッチンエリア４側とをガラス製の仕切り板２で仕切る例について記載したが、アイランドキッチン１のダイニングエリア３側縁部においてダイニングエリア３側とキッチンエリア４側とを、例えば、発泡組織により断熱と衝撃荷重に適応した強化プラスチック、木質材、アルミニウム等の金属やセラミックなど素材として製作された仕切り板２で仕切っても構わない。
【００６９】
その他、本明細書に添付した特許請求の範囲内での種々の設計変更及び修正を加え得ることは勿論である。
【産業上の利用可能性】
【００７０】
本発明では、人が接触した際の衝撃や人が通過した際の振動などによって仕切り板にひび割れが生じ難いゆえ、ダイニングエリア側とキッチン側とを仕切る上記の仕切り板を対面式キッチンのダイニングエリア側縁部に取り付けるための構造として有用である。
【図面の簡単な説明】
【００７１】
【図１】本発明の実施の形態に係る取付構造を利用してオイルガードガラスをアイランドキッチンの加熱調理セクションのダイニングエリア側縁部に取り付けた状態を示す斜視図である。
【図２】図１のＸ部を拡大して示す斜視図である。
【図３】オイルガードガラスをアイランドキッチンの加熱調理セクションのダイニングエリア側縁部に取り付けた状態を示す平面図である。
【図４】オイルガードガラスをアイランドキッチンの加熱調理セクションのダイニングエリア側縁部に取り付けた状態をキッチンエリア側から視た図である。
【図５】図４のＡ−Ａ線に沿う拡大断面図である。
【図６】親本体の構成を示しており、同図（Ａ）は斜視図、同図（Ｂ）は背面図、同図（Ｃ）は正面図、同図（Ｄ）は側面図である。
【図７】親本体の子本体との対向面をなすパット部材の構成を示しており、同図（Ａ）は斜視図、同図（Ｂ）は側面図、同図（Ｃ）は背面図である。
【図８】子本体の構成を示しており、同図（Ａ）は斜視図、同図（Ｂ）は平面図、同図（Ｃ）は正面図、同図（Ｄ）は側面図、同図（Ｅ）は底面図である。
【図９】子本体の親本体との対向面をなすパット部材の構成を示しており、同図（Ａ）は斜視図、同図（Ｂ）は側面図、同図（Ｃ）は背面図である。
【図１０】隙間間隔調整機構の構成を示す分解斜視図である。
【図１１】ステンレス製のチャンネル付き煙・臭いガード板をオイルガードガラスと共にアイランドキッチンの加熱調理セクションのダイニングエリア側縁部に取り付けた状態を拡大して示す斜視図である。
【符号の説明】
【００７２】
１  アイランドキッチン
１１  洗いセクション
１２  加熱調理セクション
２  オイルガードガラス（仕切り板）
３  ダイニングエリア
４  キッチンエリア
７  親本体
８  子本体
９  保護部材
９１  凹み
１０  隙間間隔調整機構
１０１  ベース
１０２，１０３  固定ねじ挿通孔
１０４  螺合ブロック
１０４Ａ  ねじ孔
１０５  調整ねじ挿通孔
２０，３０  パット部材
４０，５０  固定ねじ
６０  調整ねじ
Ｃ１  隙間間隔
Ｃ２  空隙
Ｄ１，Ｄ２  厚み
Ｌ１，Ｌ２  長さ
【図１】
0004762736.tif 000002
【図２】
0004762736.tif 000003
【図３】
0004762736.tif 000004
【図４】
0004762736.tif 000005
【図５】
0004762736.tif 000006
【図６】
0004762736.tif 000007
【図７】
0004762736.tif 000008
【図８】
0004762736.tif 000009
【図９】
0004762736.tif 000010
【図１０】
0004762736.tif 000011
【図１１】
0004762736.tif 000012